(57)【要約】【課題】複数の電源の負荷変動を小さくすることができる液晶ディスプレイパネルのバックライト制御装置を提供する。【解決手段】各発光基板１１上に行列方向に配列された各発光ブロックＢＬを列単位で３つのグループに分け、各グループと各電源７Ａ、７Ｂ、７Ｃを一対一で対応付けている。バックライト駆動部８は、電源７Ａの出力電力ＰＡを該電源７Ａに対応するグループの各発光ブロックＢＬに供給し、電源７Ｂの出力電力ＰＢを該電源７Ｂに対応するグループの各発光ブロックＢＬに供給し、電源７Ｃの出力電力ＰＣを該電源７Ｃに対応するグループの各発光ブロックＢＬに供給するという電力配分を行っている。これにより、各電源７Ａ、７Ｂ、７Ｃの出力電力の最大値が抑えられ、また各電源７Ａ、７Ｂ、７Ｃの出力電力ＰＡ、ＰＢ、ＰＣの変化が緩やかになる。【選択図】図２
2012168286.tif 000002
【特許請求の範囲】
【請求項１】
液晶ディスプレイパネルのバックライトとして用いられる行列方向に配列された複数の発光ブロックを備え、前記液晶ディスプレイパネルのフレーム期間において、前記各発光ブロックの行毎に、発光ブロックの点灯期間と発光ブロックの消灯期間を設定して、ローカルディミングを行う液晶ディスプレイパネルのバックライト制御装置であって、
前記各発光ブロックに電力を供給する複数の電源と、
前記各発光ブロックを列単位で複数のグループに分割して、前記各電源の電力をそれぞれのグループに供給する電力配分部とを備えたことを特徴とする液晶ディスプレイパネルのバックライト制御装置。
【請求項２】
請求項１に記載の液晶ディスプレイパネルのバックライト制御装置であって、
前記各グループには、同数の前記各発光ブロックを割り当てたことを特徴とする液晶ディスプレイパネルのバックライト制御装置。
【請求項３】
液晶ディスプレイパネルのバックライトとして用いられる縦横方向に配列された複数の発光ブロックを備え、前記液晶ディスプレイパネルのフレーム期間において、前記各発光ブロックの縦又は横の並び毎に、発光ブロックの点灯期間と発光ブロックの消灯期間を設定して、ローカルディミングを行う液晶ディスプレイパネルのバックライト制御方法であって、
前記各発光ブロックを複数のグループに分割して、複数の電源からそれぞれのグループへと電力を供給しており、
前記ローカルディミングの対象となる前記各発光ブロックの縦又は横の並びの方向と、前記各グループが並ぶ方向とが直交することを特徴とする液晶ディスプレイパネルのバックライト制御方法。
【請求項４】
請求項３に記載の液晶ディスプレイパネルのバックライト制御方法であって、
前記各グループには、同数の前記各発光ブロックを割り当てたことを特徴とする液晶ディスプレイパネルのバックライト制御方法。
【請求項５】
液晶ディスプレイパネルと、前記液晶ディスプレイパネルのバックライトとして用いられる行列方向に配列された複数の発光ブロックとを備え、前記液晶ディスプレイパネルのフレーム期間において、前記各発光ブロックの行毎に、発光ブロックの点灯期間と発光ブロックの消灯期間を設定して、ローカルディミングを行う液晶表示装置であって、
前記各発光ブロックに電力を供給する複数の電源と、
前記各発光ブロックを列単位で複数のグループに分割して、前記各電源の電力をそれぞれのグループに供給する電力配分部とを備えたことを特徴とする液晶表示装置。
【発明の詳細な説明】
【技術分野】
【０００１】
本発明は、液晶ディスプレイパネルのバックライトとして用いられる行列方向に配列された複数の発光ブロックへの出力電力を制御する液晶ディスプレイパネルのバックライト制御装置、バックライト制御方法、及び液晶表示装置に関する。
【背景技術】
【０００２】
液晶ディスプレイパネルのバックライトとしては、冷陰極管や発光素子（例えばＬＥＤ）等が用いられている。また、大型の液晶ディスプレイパネルでは、複数の冷陰極管を配列したり、複数のＬＥＤを行列方向に配列したりしてバックライトを構成している。
【０００３】
また、複数の冷陰極管や複数のＬＥＤをバックライトとして用いる場合は、液晶ディスプレイパネルに表示される画像のコントラストを高くするため、あるいはバックライトの消費電力を低減するために、バックライトスキャンもしくはローカルディミング（局所輝度制御）を行うことがある。
【０００４】
例えば、図６に示すように複数の発光ブロックＢＬを行列方向に配列してなるバックライトＢＫを用いる場合は、液晶ディスプレイパネルのフレーム期間において、各行Ｒ１〜Ｒ８毎に、行に配列された各発光ブロックＢＬの点灯期間と消灯期間を設定調節して、バックライトスキャン及びローカルディミングを行う。尚、各発光ブロックＢＬは、例えば１乃至複数のＬＥＤからそれぞれ構成されるものとする。
【０００５】
また、液晶ディスプレイパネルが大型化すると、バックライトも大型化し、バックライトの消費電力が増大する。このため、複数の電源からそれぞれの電力をバックライトに供給して、バックライトを点灯させることがある。例えば、図６に示すように各行Ｒ１〜Ｒ８を３つのグループＧ１〜Ｇ３に分割して、３組の電源Ｓ１〜Ｓ３及び駆動回路Ｄ１〜Ｄ３を各グループＧ１〜Ｇ３に割り当て、各電源Ｓ１〜Ｓ３から各駆動回路Ｄ１〜Ｄ３を介して各グループＧ１〜Ｇ３へとそれぞれの電力Ｐ１、Ｐ２、Ｐ３を供給して、バックライトＢＫを点灯させる。
【０００６】
図７（ａ）は、各行Ｒ１〜Ｒ８毎に、行に配列された各発光ブロックＢＬの点灯期間と消灯期間を示すタイミングチャートである。また、図７（ｂ）は、図７（ａ）に示すタイミングで各行Ｒ１〜Ｒ８の点灯期間と消灯期間を設定したときの各電源Ｓ１〜Ｓ３の出力電力Ｐ１、Ｐ２、Ｐ３の変化（定電圧での出力電流の変化に対応する）を示すグラフである。
【０００７】
図７（ａ）から明らかなように各行Ｒ１〜Ｒ８毎に、行に配列された各発光ブロックＢＬの点灯期間Ｔｏｎと消灯期間Ｔｏｆｆが交互に切替えられ、各行Ｒ１〜Ｒ８間では点灯期間Ｔｏｎと消灯期間Ｔｏｆｆが順次ずらされている。このため、図７（ｂ）に示すように各電源Ｓ１〜Ｓ３の出力電力Ｐ１〜Ｐ３が段階的に変化する。
【０００８】
また、特許文献１では、複数の発光ブロックを複数のグループに分け、グループ別に、グループの各発光ブロックをバックライトに分散配置して、グループの各発光ブロックの点灯及び消灯を切替え制御し、これにより各グループの駆動回路の負荷を分散している。
【先行技術文献】
【特許文献】
【０００９】
【特許文献１】特開２０１０−５５０５３号公報
【発明の概要】
【発明が解決しようとする課題】
【００１０】
しかしながら、図６に示すような従来の電源構成においては、図７（ｂ）に示すように各出力電力Ｐ１〜Ｐ３のいずれについても最大値と最小値の差が大きく、各電源Ｓ１〜Ｓ３の出力電力Ｐ１〜Ｐ３の最大値も大きかった。このため、各電源Ｓ１〜Ｓ３の負荷変動が大きく、各電源Ｓ１〜Ｓ３のトランスから大きなノイズ音（うねり音）が発生した。また、各電源Ｓ１〜Ｓ３の負荷が効果的に分散されているとは言い難かった。
【００１１】
また、特許文献１では、グループ別に、グループの各発光ブロックをバックライトに分散配置しているために、各発光ブロックへの電力供給用の配線を簡単化することが困難であり、配線が複雑化すると考えられる。
【００１２】
そこで、本発明は、上記従来の問題点に鑑みなされたものであり、複数の電源の負荷変動を小さくすることができ、また各発光ブロックへの電力供給用の配線を簡単化することが可能な液晶ディスプレイパネルのバックライト制御装置、バックライト制御方法、及び液晶表示装置を提供することを目的とする。
【課題を解決するための手段】
【００１３】
上記課題を解決するために、本発明の液晶ディスプレイパネルのバックライト制御装置は、液晶ディスプレイパネルのバックライトとして用いられる行列方向に配列された複数の発光ブロックを備え、前記液晶ディスプレイパネルのフレーム期間において、前記各発光ブロックの行毎に、発光ブロックの点灯期間と発光ブロックの消灯期間を設定して、ローカルディミングを行う液晶ディスプレイパネルのバックライト制御装置であって、前記各発光ブロックに電力を供給する複数の電源と、前記各発光ブロックを列単位で複数のグループに分割して、前記各電源からそれぞれのグループへと電力を供給する電力配分部とを備えている。
【００１４】
このような本発明のバックライト制御装置では、行列方向に配列された各発光ブロックを行単位でローカルディミングしており、また行列方向に配列された各発光ブロックを列単位で複数のグループに分け、各グループにそれぞれの電源を割り振っている。このため、各行は、各電源のいずれにも対応して、いずれの電源からも電力供給を受ける。これにより、各電源の出力電力の変化が緩やかになり、各電源の負荷変動が減少し、また各電源の出力電力の最大値が抑えられ、各電源の負荷が効果的に分散される。また、各発光ブロックを列単位で複数のグループに分割することから、電源から各発光ブロックへの電力供給用の配線を簡単化することができ、配線の複雑化を招くことがない。
【００１５】
尚、各発光ブロックは、例えば１個あるいは複数個の発光素子からそれぞれ構成される。また、各発光ブロックの行方向及び列方向を横方向及び縦方向にそれぞれ対応させても、あるいは各発光ブロックの行方向及び列方向を縦方向及び横方向にそれぞれ対応させてもよい。
【００１６】
また、本発明のバックライト制御装置においては、前記各グループには、同数の前記各発光ブロックを割り当てている。
【００１７】
この場合は、各グループの出力電力が同一となって、各電源の負荷変動及び出力電力の最大値を効果的に抑えることができる。
【００１８】
次に、本発明の液晶ディスプレイパネルのバックライト制御方法は、液晶ディスプレイパネルのバックライトとして用いられる縦横方向に配列された複数の発光ブロックを備え、前記液晶ディスプレイパネルのフレーム期間において、前記各発光ブロックの縦又は横の並び毎に、発光ブロックの点灯期間と発光ブロックの消灯期間を設定して、ローカルディミングを行う液晶ディスプレイパネルのバックライト制御方法であって、前記各発光ブロックを複数のグループに分割して、複数の電源からそれぞれのグループへと電力を供給しており、前記ローカルディミングの対象となる前記各発光ブロックの縦又は横の並びの方向と、前記各グループが並ぶ方向とが直交している。
【００１９】
このような本発明のバックライト制御方法では、液晶ディスプレイパネルのフレーム期間において、各発光ブロックの縦又は横の並び毎に、発光ブロックの点灯期間と発光ブロックの消灯期間を設定して、ローカルディミングを行っている。ここで、各発光ブロックの横方向及び縦方向を行方向及び列方向にそれぞれ対応させても、あるいは各発光ブロックの横方向及び縦方向を列方向及び行方向にそれぞれ対応させてもよい。従って、上記発明のバックライト制御装置と同様に、液晶ディスプレイパネルのフレーム期間において、各発光ブロックの行毎に、発光ブロックの点灯期間と発光ブロックの消灯期間を設定して、ローカルディミングを行っているといってもよい。また、ローカルディミングの対象となる各発光ブロックの縦又は横の並びの方向と、各電源の電力が供給されるそれぞれのグループが並ぶ方向とが直交していることから、上記発明のバックライト制御装置と同様に、行列方向に配列された各発光ブロックを行単位でローカルディミングし、また行列方向に配列された各発光ブロックを列単位で複数のグループに分け、各グループにそれぞれの電源を割り振っていることになる。このため、上記発明のバックライト制御装置と同様の作用効果を奏する。
【００２０】
また、本発明のバックライト制御方法においては、前記各グループには、同数の前記各発光ブロックを割り当てている。
【００２１】
この場合は、各グループの出力電力が同一となって、各電源の負荷変動及び出力電力の最大値を効果的に抑えることができる。
【００２２】
また、本発明の液晶表示装置は、液晶ディスプレイパネルと、前記液晶ディスプレイパネルのバックライトとして用いられる行列方向に配列された複数の発光ブロックとを備え、前記液晶ディスプレイパネルのフレーム期間において、前記各発光ブロックの行毎に、発光ブロックの点灯期間と発光ブロックの消灯期間を設定して、ローカルディミングを行う液晶表示装置であって、前記各発光ブロックに電力を供給する複数の電源と、前記各発光ブロックを列単位で複数のグループに分割して、前記各電源の電力をそれぞれのグループに供給する電力配分部とを備えている。
【００２３】
このような本発明の液晶表示装置でも、上記本発明のバックライト制御装置及びバックライト制御方法と同様の作用効果を奏する。
【発明の効果】
【００２４】
このような本発明によれば、行列方向に配列された各発光ブロックを行単位でローカルディミングしており、また行列方向に配列された各発光ブロックを列単位で複数のグループに分け、各グループにそれぞれの電源を割り振っている。このため、各行は、各電源のいずれにも対応して、いずれの電源からも電力供給を受ける。これにより、各電源の出力電力の変化が緩やかになり、各電源の負荷変動が減少し、また各電源の出力電力の最大値が抑えられ、各電源の負荷が効果的に分散される。また、各発光ブロックを列単位で複数のグループに分割することから、電源から各発光ブロックへの電力供給用の配線を簡単化することができ、配線の複雑化を招くことがない。
【図面の簡単な説明】
【００２５】
【図１】本発明のバックライト制御装置の一実施形態を適用した液晶表示装置を示すブロック図である。
【図２】図１のバックライト制御装置の各電源、各駆動回路、及び各発光ブロックの関係を示す図である。
【図３】図２の発光ブロックを示す回路図である。
【図４】（ａ）は図２の行列方向に配列された各発光ブロックの行毎に、行に配列された各発光ブロックの点灯期間と消灯期間を示すタイミングチャートであり、また（ｂ）は（ａ）に示すタイミングで各行の点灯期間と消灯期間を設定したときの各電源の出力電力の変化（定電圧での出力電流の変化に対応する）を示すグラフである。
【図５】（ａ）は図１のバックライト制御装置における３台の電源の出力電流のピーク値、及び図６の従来のバックライト制御装置における３台の電源の出力電流のピーク値を実験で測定して示す図表であり、（ｂ）は図１のバックライト制御装置における３台の電源の出力電流の変動幅、及び従来のバックライト制御装置における３台の電源の出力電流の変動幅を実験で測定して示す図表である。
【図６】従来のバックライト制御装置の各電源、各駆動回路、及び各発光ブロックの関係を示す図である。
【図７】（ａ）は図６の行列方向に配列された各発光ブロックの行毎に、行に配列された各発光ブロックの点灯期間と消灯期間を示すタイミングチャートであり、また（ｂ）は（ａ）に示すタイミングで各行の点灯期間と消灯期間を設定したときの各電源の出力電力の変化（定電圧での出力電流の変化に対応する）を示すグラフである。
【発明を実施するための形態】
【００２６】
以下、本発明の実施形態を添付図面を参照して詳細に説明する。
【００２７】
図１は、本発明のバックライト制御装置の一実施形態を適用した液晶表示装置を示すブロック図である。この液晶表示装置１は、液晶ディスプレイパネル２と、液晶ディスプレイパネル２のバックライト機能を持つバックライトユニット３と、画像信号を入力して、画像信号を液晶ディスプレイパネル２の駆動制御に適した画像データに変換するインターフェース変換スケーラ部４と、インターフェース変換スケーラ部４から画像データを入力して一旦記憶し、画像データに基づきバックライトユニット３の駆動制御信号を出力するローカルディミング部５と、画像データをローカルディミング部５を通じて入力し、画像データに基づき液晶ディスプレイパネル２を駆動制御して、画像データに対応する画像を液晶ディスプレイパネル２の画面に表示するＬＣＤ駆動部６と、バックライトユニット３にそれぞれの出力電力ＰＡ、ＰＢ、ＰＣを供給する３台の電源７Ａ、７Ｂ、７Ｃと、ローカルディミング部５からの駆動制御信号を入力して、駆動制御信号に基づき各電源７Ａ、７Ｂ、７Ｃからバックライトユニット３への出力電力ＰＡ、ＰＢ、ＰＣを調節制御するバックライト駆動部８とを備えている。
【００２８】
このような構成の液晶表示装置１においては、フレーム期間毎に、１画像を示す画像信号がインターフェース変換スケーラ部４に入力されて、ここで画像信号が画像データに変換され、画像データがローカルディミング部５を通じてＬＣＤ駆動部６に入力されて、ＬＣＤ駆動部６により画像データに対応する１画像が液晶ディスプレイパネル２に表示される。
【００２９】
一方、本実施形態のバックライト制御装置は、そのような液晶表示装置１におけるバックライトユニット３、ローカルディミング部５、各電源７Ａ、７Ｂ、７Ｃ、及びバックライト駆動部８から構成される。
【００３０】
バックライトユニット３は、行方向（横方向）に配列された各発光ブロックＢＬをそれぞれ搭載した８枚の発光基板１１を備え、各発光基板１１を列方向（縦方向）に並設して、各発光基板１１上の各発光ブロックＢＬを行列方向に配列したものである。従って、各発光基板１１は、第１行Ｒ１〜第８行Ｒ８に対応している。
【００３１】
各電源７Ａ、７Ｂ、７Ｃは、３個の電源回路７ａ、７ｂ、７ｃをそれぞれ備えている。電源７Ａの出力電力ＰＡ（各電源回路７ａの出力電力の和）は、３本の電力供給ライン１４Ｒ、１４Ｇ、１４Ｂを通じてバックライト駆動部８へと出力される。また、電源７Ｂの出力電力ＰＢ（各電源回路７ｂの出力電力の和）は、３本の電力供給ライン１５Ｒ、１５Ｇ、１５Ｂを通じてバックライト駆動部８へと出力される。更に、電源７Ｃの出力電力ＰＣ（各電源回路７ｃの出力電力の和）は、３本の電力供給ライン１６Ｒ、１６Ｇ、１６Ｂを通じてバックライト駆動部８へと出力される。
【００３２】
また、ローカルディミング部５は、フレーム期間毎に、画像データに基づき各行Ｒ１〜Ｒ８の点灯期間及び消灯期間をそれぞれ求め、各行Ｒ１〜Ｒ８の点灯期間及び消灯期間を示す駆動制御信号をバックライト駆動部８に加える。
【００３３】
バックライト駆動部８は、フレーム期間毎に、各行Ｒ１〜Ｒ８の点灯期間及び消灯期間を示す駆動制御信号を入力すると、各行Ｒ１〜Ｒ８別に、行の点灯期間に該行に対応する発光基板１１へと各電源７Ａ、７Ｂ、７Ｃの出力電力ＰＡ、ＰＢ、ＰＣを供給して、該行の各発光ブロックＢＬを点灯し、行の消灯期間に該行に対応する発光基板１１への各出力電力ＰＡ、ＰＢ、ＰＣの供給を停止して、該行の各発光ブロックＢＬを消灯する。従って、各行Ｒ１〜Ｒ８別に、バックライト駆動部８により各出力電力ＰＡ、ＰＢ、ＰＣの出力幅（点灯期間）の制御（ＰＷＭ制御）が行われ、また各行Ｒ１〜Ｒ８のいずれにおいても、フレーム期間毎に、点灯期間で各発光ブロックＢＬが点灯し、消灯期間で各発光ブロックＢＬが消灯する（バックライトスキャン及びローカルディミング）。
【００３４】
このように画像データに基づき各行Ｒ１〜Ｒ８の点灯期間及び消灯期間を求めて設定することにより、液晶ディスプレイパネル２に表示される画像の残像感を低減したり、画像のコントラストを高くすることができる。例えば、画像の明るい領域に対応する行の各発光ブロックＢＬの消灯期間を短くしたり、画像の暗い領域に対応する行の各発光ブロックＢＬの消灯期間を長くしたりして、画像のコントラストを高くする。
【００３５】
ところで、液晶表示装置１が大型であるとすると、液晶ディスプレイパネル２及びバックライトユニット３も大型となって、バックライトユニット３の消費電力が大きくなる。また、液晶表示装置１をＩＤＰ（Information Display Panel）として用いる場合は、バックライトユニット３の輝度を高くする必用があって、これによってもバックライトユニット３の消費電力が増大する。そこで、バックライトユニット３の電源として、３台の電源７Ａ、７Ｂ、７Ｃが設けられている。
【００３６】
また、各発光基板１１上に行列方向に配列された各発光ブロックＢＬを列単位で３つのグループに分け、各グループと各電源７Ａ、７Ｂ、７Ｃを一対一で対応付けている。バックライト駆動部８は、各発光基板１１の配線ラインを通じて、電源７Ａの出力電力ＰＡを該電源７Ａに対応するグループの各発光ブロックＢＬに供給し、電源７Ｂの出力電力ＰＢを該電源７Ｂに対応するグループの各発光ブロックＢＬに供給し、電源７Ｃの出力電力ＰＣを該電源７Ｃに対応するグループの各発光ブロックＢＬに供給するという電力配分を行う。このような電力配分により、各電源７Ａ、７Ｂ、７Ｃの負荷が効果的に分散される。
【００３７】
次に、そのような各グループと各電源７Ａ、７Ｂ、７Ｃとの対応付け、及び各電源７Ａ、７Ｂ、７Ｃから各グループへの電力配分について詳しく説明する。
【００３８】
図２は、各電源７Ａ、７Ｂ、７Ｃからバックライト駆動部８を通じてバックライトユニット３の各発光ブロックＢＬへの電力供給経路を概念的に示す図である。
【００３９】
図２に示すようにバックライトユニット３は、複数の発光ブロックＢＬを行列方向（横方向及び縦方向）に配列して構成されており、各発光ブロックＢＬが列単位で３つのグループＧＡ、ＧＢ、ＧＣに分割されている。第１列〜第６列の各発光ブロックＢＬがグループＧＡに属し、第７列〜第１０列の各発光ブロックＢＬがグループＧＢに属し、第１１列〜第１６列の各発光ブロックＢＬがグループＧＣに属し、各グループＧＡ、ＧＢ、ＧＣと各電源７Ａ、７Ｂ、７Ｃとが一対一で対応付けられている。
【００４０】
また、バックライト駆動部８は、グループＧＡ（第１列〜第６列）の各発光ブロックＢＬと電源７Ａとの間の接続制御を行う駆動回路８Ａ、グループＧＢ（第７列〜第１０列）の各発光ブロックＢＬと電源７Ｂとの間の接続制御を行う駆動回路８Ｂ、及びグループＧＣ（第１１列〜第１６列）の各発光ブロックＢＬと電源７Ｃとの間の接続制御を行う駆動回路８Ｃを備えている。
【００４１】
図３は、発光ブロックＢＬの構成を例示している。図３に示すように発光ブロックＢＬは、８個の赤色ＬＥＤ１２Ｒ、８個の緑色ＬＥＤ１２Ｇ、及び４個の青色ＬＥＤ１２Ｂを備えており、１個の青色ＬＥＤ１２Ｂを中心にして、その周りに２個の赤色ＬＥＤ１２Ｒ及び２個の緑色ＬＥＤ１２Ｇを配置した構成を１組とすると、この配置構成を４組設けたものである。また、各赤色ＬＥＤ１２Ｒを直列接続し、各緑色ＬＥＤ１２Ｇを直列接続し、各青色ＬＥＤ１２Ｂを直列接続し、各赤色ＬＥＤ１２Ｒの配線ライン１３Ｒ、各緑色ＬＥＤ１２Ｇの配線ライン１３Ｇ、及び各青色ＬＥＤ１２Ｂの配線ライン１３Ｂを別々に設けている。
【００４２】
尚、発光ブロックＢＬを１乃至複数の発光素子で構成することができ、また発光素子としてＬＥＤとは異なる他の種類の素子（冷陰極管や白熱灯等）を適用しても構わない。
【００４３】
図１に示すように電源７Ａからは３本の電力供給ライン１４Ｒ、１４Ｇ、１４Ｂが導出されてバックライト駆動部８に接続されている。また、各発光基板１１別に、電源７Ａの出力電力ＰＡの供給を受ける第１列〜第６列（グループＧＡ）の各発光ブロックＢＬの配線ライン１３Ｒ、１３Ｇ、１３Ｂがバックライト駆動部８に接続されている。図２に示すようにバックライト駆動部８の駆動回路８Ａは、各発光基板１１（各行Ｒ１〜Ｒ８）別に、各電力供給ライン１４Ｒ、１４Ｇ、１４Ｂを、電源７Ａの出力電力ＰＡの供給を受ける第１列〜第６列（グループＧＡ）の各発光ブロックＢＬの配線ライン１３Ｒ、１３Ｇ、１３Ｂに接続して、第１列〜第６列の各発光ブロックＢＬ（各赤色ＬＥＤ１２Ｒ、各緑色ＬＥＤ１２Ｇ、及び各青色ＬＥＤ１２Ｂ）を点灯したり、この接続を遮断して、第１列〜第６列の各発光ブロックＢＬを消灯する。
【００４４】
また、図１に示すように電源７Ｂからは３本の電力供給ライン１５Ｒ、１５Ｇ、１５Ｂが導出されてバックライト駆動部８に接続されている。また、各発光基板１１別に、電源７Ｂの出力電力ＰＢの供給を受ける第７列〜第１０列（グループＧＢ）の各発光ブロックＢＬの配線ライン１３Ｒ、１３Ｇ、１３Ｂがバックライト駆動部８に接続されている。図２に示すようにバックライト駆動部８の駆動回路８Ｂは、各発光基板１１（各行Ｒ１〜Ｒ８）別に、各電力供給ライン１５Ｒ、１５Ｇ、１５Ｂを、電源７Ｂの出力電力ＰＢの供給を受ける第７列〜第１０列（グループＧＢ）の各発光ブロックＢＬの配線ライン１３Ｒ、１３Ｇ、１３Ｂに接続して、第７列〜第１０列の各発光ブロックＢＬ（各赤色ＬＥＤ１２Ｒ、各緑色ＬＥＤ１２Ｇ、及び各青色ＬＥＤ１２Ｂ）を点灯したり、この接続を遮断して、第７列〜第１０列の各発光ブロックＢＬを消灯する。
【００４５】
更に、図１に示すように電源７Ｃからは３本の電力供給ライン１６Ｒ、１６Ｇ、１６Ｂが導出されてバックライト駆動部８に接続されている。また、各発光基板１１別に、電源７Ｃの出力電力ＰＣが供給される第１１列〜第１６列の各発光ブロックＢＬの配線ライン１３Ｒ、１３Ｇ、１３Ｂ（各行Ｒ１〜Ｒ８）がバックライト駆動部８に接続されている。図２に示すようにバックライト駆動部８の駆動回路８Ｃは、各発光基板１１（各行Ｒ１〜Ｒ８）別に、各電力供給ライン１６Ｒ、１６Ｇ、１６Ｂを、電源７Ｃの出力電力ＰＣの供給を受ける第１１列〜第１６列（グループＧＣ）の各発光ブロックＢＬの配線ライン１３Ｒ、１３Ｇ、１３Ｂに接続して、第１１列〜第１６列の各発光ブロックＢＬ（各赤色ＬＥＤ１２Ｒ、各緑色ＬＥＤ１２Ｇ、及び各青色ＬＥＤ１２Ｂ）を点灯したり、この接続を遮断して、第１１列〜第１６列の各発光ブロックＢＬを消灯する。
【００４６】
このようにバックライト駆動部８は、各発光基板１１（各行Ｒ１〜Ｒ８）別に、電源７Ａを発光基板１１上のグループＧＡの各発光ブロックＢＬに接続したり、この接続を遮断し、また電源７Ｂを発光基板１１上のグループＧＢの各発光ブロックＢＬに接続したり、この接続を遮断し、更に電源７Ｃを発光基板１１上のグループＧＣの各発光ブロックＢＬに接続したり、この接続を遮断し、これにより各行Ｒ１〜Ｒ８の点灯期間及び消灯期間を設定し、かつ各電源７Ａ、７Ｂ、７Ｃの出力電力ＰＡ、ＰＢ、ＰＣを各グループＧＡ、ＧＢ、ＧＣに配分している。先に述べたように各行Ｒ１〜Ｒ８の点灯期間及び消灯期間は、ローカルディミング部５で画像データに基づき求められて設定されたものである。
【００４７】
また、各発光基板１１（各行Ｒ１〜Ｒ８）のいずれにおいても、各グループＧＡ、ＧＢ、ＧＣ（第１列〜第６列、第７列〜第１０列、第１１列〜第１６列）別に、配線ライン１３Ｒ、１３Ｇ、１３Ｂをそれぞれの１本のラインに共通化することができ、配線を簡単化することができ、配線の複雑化を招くことがない。
【００４８】
図４（ａ）は、各グループＧＡ、ＧＢ、ＧＣ別に、各行の点灯期間と消灯期間を示すタイミングチャートである。図４（ａ）においては、グループＧＡの第１行〜第８行に符号ＲＡ１〜ＲＡ８を付し、グループＧＢの第１行〜第８行に符号ＲＢ１〜ＲＢ８を付し、グループＧＣの第１行〜第８行に符号ＲＣ１〜ＲＣ８を付している。尚、図４（ａ）においては、説明の簡単化のために点灯期間及び消灯期間をそれぞれ一定長さとしている。
【００４９】
また、図４（ｂ）は、図４（ａ）に示すタイミングで各行の点灯期間と消灯期間を設定したときの各電源７Ａ、７Ｂ、７Ｃの出力電力ＰＡ、ＰＢ、ＰＣの変化（定電圧での出力電流の変化に対応する）を示すグラフである。
【００５０】
図４（ａ）から明らかなように電源７Ａから電力供給を受けるグループＧＡでは、各行ＲＡ１〜ＲＡ８毎に、行に配列された各発光ブロックＢＬの点灯期間Ｔｏｎと消灯期間Ｔｏｆｆが交互に切替えられ、また電源７Ｂから電力供給を受けるグループＧＢでも、各行ＲＢ１〜ＲＢ８毎に、各発光ブロックＢＬの点灯期間Ｔｏｎと消灯期間Ｔｏｆｆが交互に切替えられ、更に電源７Ｃから電力供給を受けるグループＧＣでも、各行ＲＣ１〜ＲＣ８毎に、各発光ブロックＢＬの点灯期間Ｔｏｎと消灯期間Ｔｏｆｆが交互に切替えられている。
【００５１】
また、各グループＧＡ〜ＧＣ間では、１番目の行ＲＡ１、ＲＢ１、ＲＣ１の点灯期間Ｔｏｎのタイミングと消灯期間Ｔｏｆｆのタイミングが一致し、２番目の行ＲＡ２、ＲＢ２、ＲＣ２の点灯期間Ｔｏｎのタイミングと消灯期間Ｔｏｆｆのタイミングが一致し、以降同様に３番目〜８番目のいずれの行でも点灯期間Ｔｏｎのタイミングと消灯期間Ｔｏｆｆのタイミングが一致している。従って、いずれの行でも、各発光ブロックＢＬの点灯期間Ｔｏｎのタイミングと消灯期間Ｔｏｆｆのタイミングが一致する。
【００５２】
更に、各グループＧＡ〜ＧＣのいずれにおいても、１番目から８番目までの各行間で点灯期間Ｔｏｎと消灯期間Ｔｏｆｆが順次ずらされている。
【００５３】
このように各電源７Ａ、７Ｂ、７Ｃの出力電力ＰＡ、ＰＢ、ＰＣを各グループＧＡ、ＧＢ、ＧＣに配分し、各行の点灯期間及び消灯期間をそれぞれ一定長さに設定した場合、電源７Ａの出力電力ＰＡは、グループＧＡの各行ＲＡ１〜ＲＡ８の点灯期間Ｔｏｎで消費される電力の和であって、図４（ｂ）に示すように変化する。同様に、電源７Ｂの出力電力ＰＢは、グループＧＢの各行ＲＢ１〜ＲＢ８の点灯期間Ｔｏｎで消費される電力の和であって、図４（ｂ）に示すように変化し、更に電源７Ｃの出力電力ＰＣは、グループＧＣの各行ＲＣ１〜ＲＣ８の点灯期間Ｔｏｎで消費される電力の和であって、図４（ｂ）に示すように変化する。
【００５４】
図４（ｂ）から明らかなように、電源７Ａの出力電力ＰＡ、電源７Ｂの出力電力ＰＢ、及び電源７Ｃの出力電力ＰＣのいずれについても、それらの変化が緩やかであって、それらの負荷変動が少なく、またそれらの最大値が抑えられて、各電源７Ａ、７Ｂ、７Ｃの負荷が効果的に分散されている。
【００５５】
図５（ａ）は、図１の本実施形態のバックライト制御装置における３台の電源７Ａ、７Ｂ、７Ｃの出力電流のピーク値、及び図６及び図７（ａ）、（ｂ）に示す従来のバックライト制御装置における３台の電源Ｓ１、Ｓ２、Ｓ３の出力電流のピーク値を実験で測定して示す図表である。尚、出力電圧が一定であるとする。
【００５６】
図５（ａ）から明らかなように本実施形態の各電源７Ａ、７Ｂ、７Ｃの出力電流のピーク値が４．２Ａ又は２．８Ａであり、従来の各電源Ｓ１、Ｓ２、Ｓ３の出力電流のピーク値が６．７２Ａ又は４．４８Ａである。従って、本実施形態の各電源７Ａ、７Ｂ、７Ｃの出力電流のピーク値は、従来の各電源Ｓ１、Ｓ２、Ｓ３の出力電流のピーク値と比較して、３７．５％低下している。
【００５７】
また、図５（ｂ）は、図１の本実施形態のバックライト制御装置における３台の電源７Ａ、７Ｂ、７Ｃの出力電流の変動幅、及び図６及び図７（ａ）、（ｂ）に示す従来のバックライト制御装置における３台の電源Ｓ１、Ｓ２、Ｓ３の出力電流の変動幅を実験で測定して示す図表である。尚、出力電圧が一定であり、出力電流の変化が出力電圧の変化に対応するものとする。
【００５８】
図５（ｂ）から明らかなように本実施形態の各電源７Ａ、７Ｂ、７Ｃの出力電流の変動幅が０．８４Ａ又は０．５６Ａであり、従来の各電源Ｓ１、Ｓ２、Ｓ３の出力電流の変動幅が６．７２Ａ又は４．４８Ａである。従って、本実施形態の各電源７Ａ、７Ｂ、７Ｃの出力電流の変動幅は、従来の各電源Ｓ１、Ｓ２、Ｓ３の出力電流の変動幅と比較して、８０．０％低減している。
【００５９】
このような実験の測定値からも、本実施形態では、電源７Ａの出力電力ＰＡ、電源７Ｂの出力電力ＰＢ、及び電源７Ｃの出力電力ＰＣの最大値が抑えられ、それらの変化が緩やかであることが分かる。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【００６１】
例えば、バックライトの各発光ブロックの分割数、つまりグループ数を２又は４以上に設定して、同数の電源を設けてもよい。また、各グループに同数の各発光ブロックを割り当てても構わない。この場合は、各グループの出力電力が同一となって、各電源の負荷変動及び出力電力の最大値を効果的に抑えることができる。更に、各発光ブロックＢＬの行方向及び列方向を縦方向及び横方向にそれぞれ対応させて、各発光ブロックＢＬを行単位でローカルディミングし、各発光ブロックＢＬを列単位で複数のグループに分けて、各グループにそれぞれの電源を割り振ってもよい。
【符号の説明】
【００６２】
１  液晶表示装置
２  液晶ディスプレイパネル
３  バックライトユニット（バックライト）
４  インターフェース変換スケーラ部
５  ローカルディミング部
６  ＬＣＤ駆動部
７Ａ、７Ｂ、７Ｃ  電源
８  バックライト駆動部（電力配分部）
１１  発光基板
１２Ｒ  赤色ＬＥＤ
１２Ｇ  緑色ＬＥＤ
１２Ｂ  青色ＬＥＤ
１３Ｒ〜１３Ｂ  配線ライン
１４Ｒ〜１４Ｂ、１５Ｒ〜１５Ｂ、１６Ｒ〜１６Ｂ  電力供給ライン
ＢＬ  発光ブロック
ＧＡ、ＧＢ、ＧＣ  グループ
【図１】
2012168286.tif 000003
【図２】
2012168286.tif 000004
【図３】
2012168286.tif 000005
【図４】
2012168286.tif 000006
【図５】
2012168286.tif 000007
【図６】
2012168286.tif 000008
【図７】
2012168286.tif 000009